(57)【要約】【課題】電気配線の断線やチルトシリンダの損傷を抑制した荷受台昇降装置の提供。【解決手段】スチフナ２２を有し、車体に対して回動する荷受台２と、前記荷受台２を昇降させる昇降機構３と、前記スチフナ２２の内部に配置され、作動油の出し入れにより伸縮して前記荷受台２を回動させるチルトシリンダ４と、作動油を前記チルトシリンダ４に送出する油圧駆動機構５と、前記油圧駆動機構５と前記チルトシリンダ４とを結び、前記スチフナ２２の内部に配置された油圧配管６と、前記荷受台２に備えられた電気機器７に接続され、一部が前記スチフナ２２の内部に配置された電気配線８と、を備え、前記電気配線８のうち、前記スチフナ２２の内部において前記チルトシリンダ４に隣接する部分が、前記油圧配管６に固縛されたことを特徴とする荷受台昇降装置１である。【選択図】図２
2020199834.tif 000002
【特許請求の範囲】
【請求項１】
表面には荷物を積載可能であり、裏面には展開時における車両前後方向に延びるスチフナを有し、車体に対して回動する荷受台と、
前記荷受台に回動可能に連結され、前記荷受台を昇降させる昇降機構と、
前記スチフナの内部に配置され、前記スチフナと前記昇降機構とに連結され、作動油の出し入れにより伸縮して前記荷受台を回動させるチルトシリンダと、
作動油を前記チルトシリンダに送出する油圧駆動機構と、
前記油圧駆動機構と前記チルトシリンダとを結び、前記スチフナの内部に配置された油圧配管と、
前記荷受台に備えられた電気機器に接続され、一部が前記スチフナの内部に配置された電気配線と、を備え、
前記電気配線のうち、前記スチフナの内部において前記チルトシリンダに隣接する部分が、前記油圧配管に固縛されたことを特徴とする荷受台昇降装置。
【請求項２】
前記荷受台は、前記裏面に車幅方向に並列した一対の前記スチフナを有し、
各スチフナの内部には、前記チルトシリンダが配置され、
前記油圧配管は、前記油圧駆動機構と各チルトシリンダとを結び、前記各スチフナの内部に配置された、可撓性を有する油圧ホースであり、
前記油圧ホースは、前記油圧駆動機構から前記一対のスチフナのうち一方のスチフナに導入され、前記一対のスチフナのうち他方のスチフナ内部に配置された前記チルトシリンダに接続され、
前記電気配線は、前記油圧ホースにおける前記一方のスチフナから前記他方のスチフナまでの区間に固縛されたことを特徴とする、請求項１に記載の荷受台昇降装置。
【発明の詳細な説明】
【技術分野】
【０００１】
本発明は、貨物車両等に装着された荷受台を昇降させるために用いる荷受台昇降装置に関する。
【背景技術】
【０００２】
荷受台昇降装置として、例えば特許文献１に、荷受台裏面に設けられたスチフナの内部にチルトシリンダが配置されており、電気配線をスチフナの内部に通す構成が開示されている。
【０００３】
スチフナの内部にはチルトシリンダが配置されている。このため、チルトシリンダの側方に電気配線を通すと、例えば荷受台が移動する際に電気配線が揺れてチルトシリンダに絡まってしまう可能性がある。そうなった場合、チルトシリンダが伸縮する際に動くと、電気配線が断線してしまう恐れがある。
【０００４】
前記電気配線が断線してしまうことへの対策として、スチフナの内面のうちチルトシリンダの側方部分に、電気配線を固定するための固定具を設けることが考えられる。しかしこの構成では、固定具がスチフナの内面から突出してしまう。すると、固定具が伸縮の際に動くチルトシリンダと干渉して、チルトシリンダが損傷してしまう恐れがある。
【先行技術文献】
【特許文献】
【０００５】
【特許文献１】特許第４０２０７２４号公報
【発明の概要】
【発明が解決しようとする課題】
【０００６】
そこで本発明は、電気配線の断線やチルトシリンダの損傷が発生することを抑制した荷受台昇降装置を提供することを課題とする。
【課題を解決するための手段】
【０００７】
本発明は、表面には荷物を積載可能であり、裏面には展開時における車両前後方向に延びるスチフナを有し、車体に対して回動する荷受台と、前記荷受台に回動可能に連結され、前記荷受台を昇降させる昇降機構と、前記スチフナの内部に配置され、前記スチフナと前記昇降機構とに連結され、作動油の出し入れにより伸縮して前記荷受台を回動させるチルトシリンダと、作動油を前記チルトシリンダに送出する油圧駆動機構と、前記油圧駆動機構と前記チルトシリンダとを結び、前記スチフナの内部に配置された油圧配管と、前記荷受台に備えられた電気機器に接続され、一部が前記スチフナの内部に配置された電気配線と、を備え、前記電気配線のうち、前記スチフナの内部において前記チルトシリンダに隣接する部分が、前記油圧配管に固縛されたことを特徴とする荷受台昇降装置である。
【０００８】
前記構成によれば、チルトシリンダに隣接する電気配線の揺れを抑制できる。そして、電気配線を固定する目的のために、スチフナの内部におけるチルトシリンダの近傍に突出物を設ける必要がないので、電気配線の断線を抑制でき、しかもチルトシリンダが損傷することを抑制できる。
【０００９】
また更に、前記荷受台は、前記裏面に車幅方向に並列した一対の前記スチフナを有し、各スチフナの内部には、前記チルトシリンダが配置され、前記油圧配管は、前記油圧駆動機構と各チルトシリンダとを結び、前記各スチフナの内部に配置された、可撓性を有する油圧ホースであり、前記油圧ホースは、前記油圧駆動機構から前記一対のスチフナのうち一方のスチフナに導入され、前記一対のスチフナのうち他方のスチフナ内部に配置された前記チルトシリンダに接続され、前記電気配線は、前記油圧ホースにおける前記一方のスチフナから前記他方のスチフナまでの区間に固縛されたものとできる。
【００１０】
この構成によれば、電気配線を油圧ホースと一緒に、一対のスチフナの間に配置することができるため、両者を荷受台に配置する作業を楽にできる。
【発明の効果】
【００１１】
本発明によると、電気配線の断線やチルトシリンダの損傷が発生することを抑制した荷受台昇降装置を提供できる。
【図面の簡単な説明】
【００１２】
【図１】本発明の一実施形態による荷受台昇降装置を備えた貨物車両を示す側面図である。
【図２】前記荷受台昇降装置における荷受台につき、スチフナの内部構造がわかるように示した底面図である。
【図３】図２におけるIII部の拡大図である。
【図４】前記荷受台を示す、図２におけるIV−IV矢視の断面図である。
【図５】本発明の他実施形態による荷受台昇降装置における荷受台につき、スチフナの内部構造がわかるように示した底面図である。
【発明を実施するための形態】
【００１３】
次に、本発明につき一実施形態を取り上げて説明を行う。なお、以下における方向の表現に関し、「上下」は図１に示された上下方向に対応する。また、「前後」は車両の前後に対応しており、運転台のある方を前方、その逆を後方としている。また、「左右」は車幅方向に対応し、かつ、車両の後方から見た場合の左右方向に対応する。
【００１４】
本実施形態の荷受台昇降装置１は、図１に示すように、例えば荷箱Ｂ１等の荷台を備えた貨物車両Ｂの後部に設けられる。この荷受台昇降装置１は、主に、荷受台２、昇降機構３、チルトシリンダ４、油圧駆動機構５、油圧ホース６、照明装置７、電気配線８を備える。また、油圧ホース６に対して電気配線８を固縛するための固縛具９を備える。
【００１５】
荷受台２は、車体（例えばシャシや荷箱）に対し、収納状態（図１の上下方向に二点鎖線で示すように地面Ｇに対して表面が垂直に立った状態）と展開状態（図１の左右方向に実線で示すように地面Ｇに対して表面が平行になるように寝た状態）となるように回動可能に設けられている。収納状態においては、図示のように荷受台２の表面が荷箱Ｂ１の後面に対向する。
【００１６】
荷受台２の表面（図１の実線表示における上面）には荷物を積載可能である。また、裏面には補強のためスチフナ２２が形成されている。スチフナ２２は、板状である荷受台本体２１と一体に形成されている。スチフナ２２は、図２に示すように、車幅方向（図示左右方向）に並列して一対設けられている（左スチフナ２２Ｌ、右スチフナ２２Ｒ）。なお、各スチフナ２２Ｌ，２２Ｒの内部構造の説明のため、図２及び図５は裏面側の板を除去した状態で示している（実際には、内部構造は外観に現れない）。
【００１７】
昇降機構３は、荷受台２に回動可能に連結され、荷受台２を昇降させる機構である。本実施形態の昇降機構３は、上下に並列した棒状のリンク部材３１，３２の前端部同士と後端部同士が接続部材３３，３４によって接続されたことにより、側面視で細長い四角枠状に形成された枠部３５に対し、作動油の出し入れにより伸縮するリフトシリンダ３６が組み合わされた平行リンク機構とされている。
【００１８】
昇降機構３における平行リンク機構の枠部３５は、前端がシャシに回動可能に接続され、後端が荷受台２の基端部に回動可能に接続されている。また、リフトシリンダ３６は、前端がシャシに回動可能に接続され、後端が枠部３５に回動可能に接続されている。図示はしていないが、枠部３５及びリフトシリンダ３６は、車幅方向（図１における紙面奥行き方向、図２における左右方向）に並列して一対設けられている。
【００１９】
このように構成された昇降機構３（平行リンク機構）では、枠部３５の後端が、リフトシリンダ３６を伸長させると上昇し、リフトシリンダ３６を収縮させると下降する。これに伴い、図１に示すように、枠部３５に接続された荷受台２を昇降させることができる。なお、展開状態にある荷受台２は、前記昇降中において、図示のように表面の水平が継続的に保たれる。ちなみに、荷受台２が展開状態で接地したとき、図１に二点鎖線で示すように荷受台２の後端が地面Ｇから浮いていると荷物の積み下ろしに支障するため、荷受台２に設けられたチルトシリンダ４を操作することにより、昇降機構３（平行リンク機構）に対して荷受台２を回動させ、荷受台２の後端を接地させることができる（図示はしない）。
【００２０】
チルトシリンダ４は、図２に示すように、左右において一対のスチフナ２２Ｌ，２２Ｒのうち、左スチフナ２２Ｌの内部に配置されている（左チルトシリンダ４Ｌ）。チルトシリンダ４（左チルトシリンダ４Ｌ）は、スチフナ２２（左スチフナ２２Ｌ）と昇降機構３とに連結され、作動油の出し入れにより伸縮する。この伸縮動作に応じて荷受台２を回動させることができる。チルトシリンダ４（左チルトシリンダ４Ｌ）はスチフナ２２（左スチフナ２２Ｌ）において、荷受台２の回動中心に近い側の内部に配置されている。
【００２１】
なお、チルトシリンダ４は、図５に示すように、左右において一対のスチフナ２２Ｌ，２２Ｒの各々の内部に配置されていてもよい（左チルトシリンダ４Ｌ、右チルトシリンダ４Ｒ）。この場合、左チルトシリンダ４Ｌと右チルトシリンダ４Ｒとは、図５に示すように対称の位置に設けることができる。
【００２２】
油圧駆動機構５は、作動油をリフトシリンダ３６、チルトシリンダ４等に送出する機構であって、例えば、オイルタンク、油圧ポンプ、ソレノイドバルブ５１、フローコントロールバルブ、チェックバルブ等が油路を介して組み合わされている（ソレノイドバルブ５１を除いて図示していない）。この油圧駆動機構５の少なくとも一部は、貨物車両Ｂの後部に設けられたクロスメンバに内蔵されている（ただしこれに限られない）。なお、ソレノイドバルブ５１は、図２に示すように左スチフナ２２Ｌの内部に設けられている。
【００２３】
本実施形態における油圧配管としての油圧ホース６は、油圧駆動機構５とチルトシリンダ４（左チルトシリンダ４Ｌ）とを結び、可撓性を有する管である。油圧ホース６は、左スチフナ２２Ｌの内部に配置されている。なお、図５に示す形態における油圧ホース６は、油圧駆動機構５と各チルトシリンダ４Ｌ，４Ｒとを結ぶ。この場合の油圧ホース６は、一対のスチフナ２２Ｌ，２２Ｒの間では荷受台本体２１の内部を通される。荷受台本体２１は一般的に、アルミニウム合金等が押出し成形されて形成されていることから、図４に示すように中空構造となっている。このため、油圧ホース６を荷受台本体２１の内部に通すことができる。
【００２４】
次に、電気機器としての照明装置７は、荷受台２に設けられていている。本実施形態の照明装置７は、車幅方向の両端縁部と、展開時における車両後部（より詳しくは、荷物や台車が不意に荷台の表面を移動してしまうことを防止するため、荷受台２の表面に対して立ち上げられるように設けられたカートストッパー上（カートストッパー自体の図示はしていない））とに設けられている。本実施形態では、カートストッパー上に設けられた照明装置７は、左右スチフナ２２Ｌ，２２Ｒの延びる方向の延長線上に設けられている。このように照明装置７を配置することで、後述のように電気配線８がスチフナ２２の内部を通るように配置されていることから、スチフナ２２を出てカートストッパー上の照明装置７に至る電気配線８を短縮化できる利点がある。本実施形態の照明装置７は、通電により点灯する複数のＬＥＤが並べられて形成されたユニットであって、荷受台２自体、または荷受台２が有するカートストッパーにこのユニットが埋め込まれている。この照明装置７により、夜間や悪天候時に荷役作業を行う場合に、周囲に荷受台２が存在する範囲を示すことができるため、例えば通行人が荷受台２にぶつかる等の事故を予防できる。
【００２５】
電気配線８は、電源と照明装置７とを通電可能に接続する。この電気配線８は、電源から照明装置７に至るまでの間に荷受台２の内部に配置されている。そして、電気配線８の一部はスチフナ２２の内部に配置されている。本実施形態では、荷受台２のうち図２において二重線（実線及び破線）で表示するように電気配線８が配置されている。電気配線８は、スチフナ２２の外部では荷受台本体２１の内部に配置されている。
【００２６】
電気配線８のうち、少なくとも、スチフナ２２の内部においてチルトシリンダ４に隣接する部分は、油圧ホース６に固縛されている。固縛のため、油圧ホース６と電気配線８とに巻き回される固縛具９が用いられる。固縛具９としては種々のものを用いることができ、例えば結束バンド、針金、粘着テープ、Ｕボルト等を使用できる。
【００２７】
このように固縛具９を用いて、電気配線８のうちチルトシリンダ４に隣接する部分を、油圧ホース６に固縛することにより、電気配線８の移動の自由度を制限できる。このため、スチフナ２２内部での電気配線８の揺れを抑制しながら、電気配線８を固定できる。なお、油圧ホース６は内部に作動油の圧力を受けても破裂しないよう、ある程度の剛性を有しているから、油圧ホース６自体は、チルトシリンダ４に絡まるほど揺れることはない。このように電気配線８を油圧ホース６に固縛することで、スチフナ２２の内部におけるチルトシリンダ４の近傍に、電気配線８をスチフナ２２に固定するための突出物等、チルトシリンダ４に当たるようなものを特に設ける必要がない。したがって、この固縛により、電気配線８の断線を抑制でき、しかもチルトシリンダ４が損傷することを抑制できる。
【００２８】
電気配線８のうち分岐部分は、図３に示すように、スチフナ２２の内部に固定されたチャンネル材２２３と、このチャンネル材に取付けられたバンド２２４により、スチフナ２２の内部でずれないようにされている。ちなみにこのチャンネル材２２３は、前述した「突出物」に該当する。しかし、このチャンネル材２２３は、チルトシリンダ４に隣接する部分ではなく、チルトシリンダ４の伸縮範囲から離れた部分に設けられていることから、このチャンネル材２２３によって前述のような悪影響が生じることはない。
【００２９】
また、図５に示すように、油圧ホース６が、油圧駆動機構５と各チルトシリンダ４Ｌ，４Ｒとを結ぶ場合、電気配線８は、油圧ホース６における左スチフナ２２Ｌから右スチフナ２２Ｒまでの区間でも、固縛具９によって固縛されることができる（図５では、図示右側の照明装置７とこれに接続される電気配線８だけを示している）。この構成では、電気配線８を油圧ホース６にあらかじめ固縛した上で、電気配線８を油圧ホース６と一緒に荷受台本体２１の内部を通すことができるため、両者を荷受台本体２１に配置する作業を楽にできる。
【００３０】
荷受台２において、電気配線８及び油圧ホース６（図５に示す形態の場合、以下同じ）を各チルトシリンダ４Ｌ，４Ｒと結ぶように配置するため、本実施形態では、一対のスチフナ２２Ｌ，２２Ｒのうち一方のスチフナである左スチフナ２２Ｌは、左チルトシリンダ４Ｌよりも先端側の位置（荷受台２の回動中心から遠い位置）に、表面側に開口した一方側連通穴である左連通穴２２１Ｌを有する。左連通穴２２１Ｌは、荷受台本体２１に設けられた左連通穴２１１Ｌと一致するように設けられている。このため、左スチフナ２２Ｌの内部空間と荷受台本体２１の内部空間とを連通する。また、各スチフナ２２Ｌ，２２Ｒから側方に向かう電気配線８のため、例えば左スチフナ２２Ｌでは、図３に示すように、左スチフナ２２Ｌには別の左連通穴２２２Ｌが、荷受台本体２１に設けられた別の左連通穴２１２Ｌと一致するように設けられている。
【００３１】
本実施形態では、左スチフナ２２Ｌの左連通穴２２１Ｌ，２２２Ｌよりも荷受台本体２１に設けられた左連通穴２１１Ｌ，２１２Ｌの方が小さい。例えば、荷受台本体２１の左連通穴２１１Ｌは、図２及び図３に示すように、車幅方向（左右方向）に長い長円形とされている。左連通穴２２１Ｌの周縁に角を有さないことから、周縁に電気配線８及び油圧ホース６（図５に示す形態）が触れたとしても、電気配線８及び油圧ホース６を傷つけにくい。また左連通穴２２１Ｌの長径寸法及び短径寸法は、電気配線８及び油圧ホース６の外径寸法に対して十分大きな寸法に設定されており、かつ、電気配線８及び油圧ホース６の曲げの曲率を考慮して、電気配線８及び油圧ホース６に損傷が早期に生じ得るような無理な曲げが生じない寸法に設定されている。荷受台本体２１における、電気配線８のための別の左連通穴２１２Ｌについても同様である。
【００３２】
また、左連通穴２２１Ｌが車幅方向（左右方向）に長い長円形とされていることから、図２において上方に延びた上で右方に曲げられる電気配線８及び油圧ホース６の曲げ方向に左連通穴２２１Ｌの長径方向を略一致させることができる。このため、荷受台２における電気配線８及び油圧ホース６の取り回し（特に曲げ）の自由度を高めることができる。
【００３３】
本実施形態では更に、右スチフナ２２Ｒにおいても、右チルトシリンダ４Ｒよりも先端側の位置に、表面側に開口した他方側連通穴である右連通穴２２１Ｒを有する。右連通穴２２１Ｒは、荷受台本体２１に設けられた右連通穴２１１Ｒと一致するように設けられている。このため、右連通穴２２１Ｒは、右スチフナ２２Ｒの内部空間と荷受台本体２１の内部空間とを連通する。本実施形態の右連通穴２２１Ｒは、左連通穴２２１Ｌと同一形状である。また、荷受台本体２１に設けられた右連通穴２１１Ｒも左連通穴２１１Ｌと同一形状である。ただし、これに限定されず、例えば荷受台２における電気配線８及び油圧ホース６の配置計画（曲げの曲率の設定等に応じた配置計画）に応じて、右連通穴２２１Ｒを左連通穴２２１Ｌと異なる形状にすることもできる。また、本実施形態の右連通穴２２１Ｒは、左連通穴２２１Ｌと車幅方向において対称位置、すなわち左右対称位置に設けられている。ただし、これに限定されず、右連通穴２２１Ｒを左連通穴２２１Ｌと非対称の位置に設けることもできる。
【００３４】
この構成によれば、右スチフナ２２Ｒ内で、右チルトシリンダ４Ｒが配置されていないため比較的余裕のあるスペースで電気配線８及び油圧ホース６を右スチフナ２２Ｒに入れて右チルトシリンダ４Ｒに向かわせることができる。よって、右スチフナ２２Ｒ内で右チルトシリンダ４Ｒと電気配線８及び油圧ホース６との干渉を防止できる。従って、右スチフナ２２Ｒ内で電気配線８及び油圧ホース６が破損することを抑制できる。
【００３５】
以上、本発明につき一実施形態を取り上げて説明したが、本発明は前記実施形態に限定されない。
【００３６】
例えば、スチフナ２２の形状に関し、前記実施形態では、図４に示すように荷受台２の先端に向かって高さ寸法（厚み寸法）を順次小さくしたものであったが、形状は特定されない。均一な高さであってもよいし、荷受台２の先端に向かって高さ寸法を大きくしてもよい。このような形状とすることで、スチフナ２２内の空間が広くなっても、チルトシリンダ４が拡大されたスペースまで動くことで油圧ホース６に擦れる可能性があることから、本発明の構成は有効に作用する。
【００３７】
また、昇降機構３については、前記実施形態のように平行リンク機構を用いて昇降する構成であってもよいし、スライダによって垂直方向に昇降する構成であってもよい。更に、車体の床下に荷受台２を収納するように昇降する構成であってもよく、特に限定されない。
【００３８】
また、各スチフナ２２Ｌ，２２Ｒにおいて荷受台２の表面側に開口した各連通穴２２１Ｌ，２２１Ｒは、前記実施形態では、各チルトシリンダ４Ｌ，４Ｒよりも荷受台２の回動中心から遠い位置に設けられていた。しかしこれに限定されず、各連通穴２２１Ｌ，２２１Ｒを各チルトシリンダ４Ｌ，４Ｒと荷受台２の回動中心からの距離が同じ位置（すなわち、各チルトシリンダ４Ｌ，４Ｒの横の位置）に設けることもできる。
【００３９】
また、図５に示した形態では、油圧ホース６及び電気配線８が、一対のスチフナ２２Ｌ，２２Ｒの間では荷受台本体２１の内部（具体的には、荷受台本体２１を構成する、押出成形で形成されたブロック内の空間）を通されていた。しかしこれに限定されず、荷受台本体２１の内部以外（前記ブロック外）を通すこともできる。この場合であっても、電気配線８を油圧ホース６と一緒にできるため、前記形態と同様に、両者を荷受台本体２１に配置する作業を楽にできる。
【００４０】
また、油圧配管は前記実施形態では可撓性のある油圧ホース６であったが、可撓性のないパイプであってもよい。また、前記実施形態では、各スチフナ２２Ｌ，２２Ｒ内の油圧配管が全て、可撓性のある油圧ホース６であったが、一部分だけを油圧ホース６とし、他の部分を可撓性のないパイプとしてもよい。この場合、例えば、一方のスチフナである左スチフナ２２Ｌから他方のスチフナである右スチフナ２２Ｒに向かって曲げる部分の油圧配管だけを油圧ホース６とすることもできる。
【００４１】
また、電気機器は、前記実施形態では照明装置７であったが、通電と状態変化との間で相関がある種々の機器を用いることができる。このため電気機器には、例えば、スイッチ、センサ、制御基板も含まれる。
【００４２】
通電と状態変化との間の相関とは、例えば、電気機器が照明装置７である場合には、通電に伴い点灯という状態変化がなされることを指す。また、電気機器がスイッチである場合には、開閉操作という状態変化に伴い通電がなされることを指す。また、電気機器がセンサである場合には、被検知対象の検知という状態変化に伴い通電（具体的には信号電流の出力）がなされることを指す。また、電気機器が制御基板である場合には、通電（例えば信号電流の入力）に伴い出力が変化するという状態変化がなされることを指す。
【００４３】
また、前記「通電」とは、電流が流れていない状態（無電流の状態）が流れる状態になったことに限られず、流れている電流に変化（例えば、信号の発信に伴う変化）があったことも含む。
【００４４】
また、前記「通電」に係る電流は、電気機器の作動や作用に直接かかわる電流（駆動電流等）に限定されず、電気機器の操作に関する信号電流も含む。つまり、「通電」には通信という概念も含む。このため、電気配線８には信号線も含まれる。
【符号の説明】
【００４５】
１…荷受台昇降装置、２…荷受台、３…昇降機構、４…チルトシリンダ、４Ｌ…左チルトシリンダ、４Ｒ…右チルトシリンダ、５…油圧駆動機構、６…油圧配管（油圧ホース）、７…電気機器（照明装置）、８…電気配線、９…固縛具、２１…荷受台本体、２２…スチフナ、２２Ｌ…一方のスチフナ（左スチフナ）、２２Ｒ…他方のスチフナ（右スチフナ）、３１，３２…リンク部材、３３，３４…接続部材、３５…枠部、３６…リフトシリンダ、２１１Ｌ，２１２Ｌ…荷受台本体の一方側連通穴（左連通穴）、２１１Ｒ…荷受台本体の他方側連通穴（右連通穴）、２２１Ｌ，２２２Ｌ…スチフナの一方側連通穴（左連通穴）、２２１Ｒ…スチフナの他方側連通穴（右連通穴）、２２３…チャンネル材、２２４…バンド、Ｂ…貨物車両、Ｂ１…荷箱、Ｇ…地面
【図１】
2020199834.tif 000003
【図２】
2020199834.tif 000004
【図３】
2020199834.tif 000005
【図４】
2020199834.tif 000006
【図５】
2020199834.tif 000007